(57)【要約】【課題】加工の容易なカシメ接合により組み立てられ、同一外形寸法でありながら大きな内容積の加熱庫を有し安価な材料の使用を可能にした加熱調理器用の内箱と、その組み立て方法を提供する。【解決手段】開口部１１を有する前板１３と、裏板１９と、開口部１１の周縁に接合される壁面板２３とを有して加熱庫１０を形成する内箱１００であり、前板１３の開口部１１周縁には内側に折れ曲げられた第一の折返部２８が形成され、第一の折返部２８に対応する壁面板２３の端部には第一の折返部２８よりも短寸法で略直角に折れ曲げられた第二の折返部２５と、更に逆方向に折り曲げられた第三の折返部２６が形成され、第二の折返部２５と第三の折返部２６の間に第一の折返部２８が勘合してカシメ接合され、壁面板２３の少なくとも一面が開口部１１の周縁よりも所定寸法だけ後退して庫内壁面をなす構造とした。【選択図】  図２
2005037013.tif 000002
【特許請求の範囲】
【請求項１】
開口部を有する前板と、裏板と、前記開口部の周縁に接合される壁面板とを有して加熱庫を形成する加熱調理器用の内箱であって、前記前板には前記開口部周縁の少なくとも一部が内側に折れ曲げられた第一の折返部が形成され、前記開口部周縁に接合される前記壁面板の端部における前記第一の折返部に対応する部分には前記第一の折返部よりも短寸法で略直角に折れ曲げられた第二の折返部と、前記第二の折返部の先端側において更に逆方向に折り曲げられた第三の折返部が形成され、前記第二の折返部と前記第三の折返部の間に前記第一の折返部が勘合してカシメ接合されて、前記壁面板の少なくとも一面が前記開口部の周縁よりも所定の寸法だけ後退して内壁面をなす構造である加熱調理器用の内箱。
【請求項２】
前記第一の折返部は前記前板の内面に密着して折り返された第四の折返部と前記第四の折返部から端部に続く第五の折曲とで構成され、前記第五の折返部のみが前記第二の折返部と前記第三の折返部の間に勘合してカシメ接合された構造である請求項１に記載の加熱調理器用の内箱。
【請求項３】
前記第四の折返部と前記第五の折返部との境界線に沿って所定の間隔で複数のスリット孔またはスリット溝が形成された請求項２に記載の加熱調理器用の内箱。
【請求項４】
請求項１に記載の加熱調理器用の内箱の組み立て方法であって、前板の開口部の周縁の少なくとも一部に内側方向へ向けた第一の折返部を形成する工程と、壁面板の端部における前記第一の折返部に対応する部分に前記第一の折返部よりも短寸法で略直角に折り曲がった第二の折返部と前記第二の折返部の先端側において更に逆方向に折り曲がった第三の折返部を形成する工程と、前記第二の折返部と前記第三の折返部の間に前記第一の折返部を挿入して圧接する工程にてなる組み立て方法。
【請求項５】
前記第一の折返部を形成する工程は、前記前板の内面に密着するように折り返された第四の折返部を形成する工程と、前記第四の折返部から端部に続く第五の折返部を形成する工程にてなる請求項４に記載の組み立て方法。
【請求項６】
前記第一の折返部を形成する工程は、前記前板の開口部の周縁から所定寸法内側に前記周縁に沿って所定の間隔で複数のスリット孔またはスリット溝を形成する工程をさらに有し、前記第五の折返部を形成する工程は前記複数のスリット孔またはスリット溝に沿って折り曲げる工程である請求項５に記載の組み立て方法。
【発明の詳細な説明】
【０００１】
【発明の属する技術分野】
本発明は複数の板材を接合して形成した加熱調理器用の内箱及びその組立方法に関し、特に板材相互間の接合における改良に関する。
【０００２】
【従来の技術】
従来の加熱調理器の一例として高周波加熱装置を図６に示す。この高周波加熱装置は、内箱５０と、この内箱５０に取り付けられて加熱庫を開閉する扉５６と、上面から高周波加熱装置全体を覆う外装５７とで構成される。図７は内箱５０の一般的な板金構造を示す斜視図である。図７において、内箱５０は、加熱庫への開口部を有する前板５１と、裏板５３と、これら前板５１及び裏板５３の間に設けられる壁面板５５と底面板５２からなる。なお、図７の内箱５０においては、加熱庫底部の底面板５２に高周波エネルギーの撹拌翼（図示せず）を備えた構成であるため、底面板５２に段押しした窪みを設け、この部分にセラミックなど電波透過性の皿板５４を固定して、被加熱物を載置できるような構造としている。
【０００３】
図８（ａ）〜８（ｃ）は、内箱５０の板金構成を示す図である。従来のこの種の加熱装置では、各板金材料の接合には溶接等の手段を利用することが一般的であったが、製造における作業の容易性や設備の利便性と費用等の総合的視点から折り曲げやカシメ接合が多用されてきている。この例における内箱５０は、図８（ａ）〜８（ｃ）の接合部が示すように、前板５１の開口部の端縁が折り曲げられて折曲部５９と折返部６３が形成されている。その一方で底面板５２と壁面板５５の端部においても、前板５１と同様に端縁が折り曲げられて折返部６５が形成され、その先端がさらに逆方向に折り曲げられて折返部６６が形成されている。これらの折返部６３と折返部６６が互いに挟み込まれて圧接によりカシメ接合されている（例えば特許文献１参照）。
【０００４】
このような内箱５０は、図８（ｂ）に示すように折曲部５９が加熱庫の底面板５２と同一面に形成されている。一方加熱庫底部の中央部には、底面板５２と同一面に皿板５４を設けるための窪みを有しており、加熱庫底部の周囲に底面板５２が露出する構成になっている。さらに図８（ｃ）に示すように、折曲部５９が加熱庫の側壁面５５とも同一面を構成しており、したがって加熱庫内の横幅は開口部の幅と等しく、加熱庫内の高さも開口部の高さと等しくなっている。すなわち加熱庫の内容積は開口部の大きさと内箱５０の奥行きで決定される。
【０００５】
【特許文献１】
実開昭５９−１７２９０４号公報
【０００６】
【発明が解決しようとする課題】
上述したようにこの加熱調理器用の内箱５０においては、前板５１の開口部の折曲部５９が、加熱庫内の底壁面、天壁面、左右壁面と同一面を構成しているので、加熱庫の幅と高さ寸法は開口部の大きさによって制約されている。一方、前板５１の機械的強度を確保し、かつ加熱庫内から高周波エネルギーの漏洩を防止するために、前板５１と扉５６とが接触する開口部周囲の面には一定の大きさの面積を確保する必要があるので、開口部を無制限に広げることはできない。従って加熱庫の内容積を広げることにも限界がある。
【０００７】
また、図８（ｂ）、（ｃ）の接合部が示すように、前板５１の開口部の端縁が折り曲げられて折曲部５９と、その一方の底面板５２の端縁が折り曲げられて折返部６５、６６が形成されその先の先端部が互いに挟み込まれる構成となっているため、多数の屈曲部による寸法バラツキにおいて、底面板５２の先端部が先当たりをしてしまい、底面板５２の平面制度が出せないこともある。
【０００８】
さらに、加熱庫底部に設けられた皿板５４の周囲には底面板５２が露出している。従って加熱庫内に出し入れする器物や被加熱物から受ける機械的、化学的損傷の可能性を排除するために、底面板５２の表面には十分な保護皮膜が要求される。また加熱庫内の美観を損なわないためにも、底面板５２には亜鉛メッキ鋼板などのコストの低い材料を使用できず、塗装を施すかプレコートメタル（ＰＣＭ）等の比較的高価な材料を使用する必要がある。
【０００９】
本発明は上記従来の課題を鑑みてなされたもので、加工の容易なカシメ接合で構成した加熱調理器の内箱において、加熱調理器の外形を大きくすることなく加熱庫の内容積を広げること可能にするものである。また、加熱庫底部の皿板を内箱の底面板上に直接載置できる構造により、安価な材料の使用を可能にしてコストの低減を図るものである。
【００１０】
【課題を解決するための手段】
上記従来の課題を解決する手段を以下に述べる。
【００１１】
（１）本発明の加熱調理器用の内箱は、開口部を有する前板と、裏板と、前記開口部の周縁に接合される壁面板とを有して加熱庫を形成するもので、前記前板には前記開口部周縁の少なくとも一部が内側に折れ曲げられた第一の折返部が形成され、前記開口部周縁に接合される前記壁面板の端部における前記第一の折返部に対応する部分には前記第一の折返部よりも短寸法で略直角に折れ曲げられた第二の折返部と、前記第二の折返部の先端側において更に逆方向に折り曲げられた第三の折返部が形成され、前記第二の折返部と前記第三の折返部の間に前記第一の折返部が勘合してカシメ接合されて、前記壁面板の少なくとも一面が前記開口部の周縁よりも所定の寸法だけ後退して内壁面をなす構造としたものである。
【００１２】
この構造によれば、内箱を構成する壁面板を前板の開口部の折曲部よりも後退させて前板に接合できるので、加熱庫の底壁面と天壁面の間の高さと左右壁面間の幅を開口部の寸法に制約されることなく大きくし、庫内容積を拡大することができる。また、開口部の折曲部よりも後退させた加熱庫の底壁面の全面を覆うように皿板を設けることができるので、底面板を露出させることがなく、底面板を安価な材料で構成することができる。
【００１３】
（２）前記加熱調理器用の内箱において、前記前板に形成された前記第一の折返部は、前板の内面に密着して折り返された第四の折返部とこの第四の折返部から端部に続く第五の折返部とで構成され、前記第五の折返部のみが前記壁面板の第二の折返部と第三の折返部の間に勘合してカシメ接合された構造である。
【００１４】
この構造によれば、前記前板と壁面板とのカシメ接合代を適度な幅に設定可能なので、圧接工程での金型のストロークを大きくすることなく接合することができる。この結果、前板と壁面板の接合部を開口部周縁の折曲部よりもさらに大きく後退させることができるので、加熱庫の高さと幅をより広げて庫内容積を拡大することができる。
【００１５】
（３）この内箱は、前記前板に形成された第四の折返部と第五の折返部との境界線に沿って所定の間隔で形成された複数のスリット孔またはスリット溝を有するものである。
【００１６】
この構造によれば、前記前板の第四の折返部と第五の折返部との境界を高い寸法精度で形成し、壁面板とのカシメ接合を精度よく行うことができる。
【００１７】
（４）本発明の加熱調理器用の内箱の組み立て方法は、前板の開口部の周縁の少なくとも一部に内側方向へ向けた第一の折返部を形成する工程と、壁面板の端部における前記第一の折返部に対応する部分に前記第一の折返部よりも短寸法で略直角に折り曲がった第二の折返部と前記第二の折返部の先端側において更に逆方向に折り曲がった第三の折返部を形成する工程と、前記第二の折返部と前記第三の折返部の間に前記第一の折返部を挿入して圧接する工程にてなる。
【００１８】
この加熱調理器用の内箱の組み立て方法によれば、前板の開口部の寸法に制約されない大きな庫内容積の内箱を、加工の容易なカシメ接合で構成することができる。
【００１９】
（５）また、前記第一の折返部を形成する工程は、前記前板の内面に密着するように折り返された第四の折返部を形成する工程と、前記第四の折返部から端部に続く第五の折返部を形成する工程にて構成する。
【００２０】
この加熱調理器用の内箱の組み立て方法によれば、前板の開口部の寸法に制約されない大きな庫内容積の内箱を、圧接工程での金型のストロークを大きくすることなくカシメ接合することがでる。
【００２１】
（６）さらに、前記第一の折返部を形成する工程は、前記前板の開口部の周縁から所定寸法内側に前記周縁に沿って所定の間隔で複数のスリット孔またはスリット溝を形成する工程をさらに有し、前記第五の折返部を形成する工程は前記複数のスリット孔またはスリット溝に沿って折り曲げる工程としている。
【００２２】
この加熱調理器用の内箱の組み立て方法によれば、前記前板の第四の折返部と第五の折返部との境界を高い寸法精度で形成し、かつ前記前板を板厚の大きい材料で構成する場合でも壁面板とのカシメ接合を精度よく容易に行うことができる。
【００２３】
【発明の実施の形態】
以下本発明に係わる加熱調理器用の内箱の実施の形態と組み立て方法について添付図面を参照して説明する。
【００２４】
図１（ａ）は加熱調理器用の内箱の構造を示す一部破断斜視図、図１（ｂ）は図１（ａ）に示す破断部分の拡大斜視図、図１（ｃ）は図１（ａ）の破線Ａ−Ａ’部分の拡大断面図である。図２は加熱調理器用の内箱のカシメ接合による組み立て方法を示す断面図である。本実施の形態では、例として高周波加熱装置を示している。図１（ａ）に示すように、加熱調理器の内箱１００は、開口部１１を有する前板１３と、裏板１９と、前記開口部１１の周縁に接合される壁面板２３とにより加熱庫１０を形成する。壁面板２３は、加熱庫１０の底壁面１５、天壁面１７、左右側壁面２１を複数の板材で構成するのが一般的であり、ここでは１枚の板材で天壁面１７と左右壁面２１を、他の１枚の板材で底壁面（底面板）１５を構成する例を示す。加熱庫１０の底面板１５には、下方から導入される高周波エネルギーを撹拌する撹拌翼（図示せず）を備える空間を設けるために、底面板１５に段押しした窪みを設け、この部分をセラミックなど電波透過性の皿板２４で覆い、被加熱物を載置できる構造としている。
【００２５】
前板１３は中央に開口部１１を有して加熱庫１０へ通じ、この開口部１１を開閉する扉（図示せず）に面している。この前板１３には、開口部１１の周縁が折曲部２７で内側（加熱庫１０の内部側）に折れ曲げられて第一の折返部２８が形成される。この第一の折返部２８の長さは、加熱庫１０の内壁面を折曲部２７からどの程度後退させるかによって決められる寸法である。また、開口部１１の周縁に接合される壁面板２３の端辺部には、前記第一の折返部２８に対応する部分に第一の折返部２８よりも短寸法で略直角に折れ曲げられた第二の折返部２５と、この第二の折返部２５の先端側において更に逆方向に折り曲げられた第三の折返部２６が形成される。そして壁面板２３の第二の折返部２５と第三の折返部２６の間に前記前板１３の第一の折返部２８が勘合してカシメ接合される。この結果、壁面板２３は、図１（ｃ）に記号Ｌで示される寸法分が開口部１１の折曲部２７から後退して加熱庫１０の壁面が形成される。
【００２６】
また、図１（ｃ）の接合部が示すように、前板１３の開口部の端縁が折り曲げられて折曲部２７と、その一方の底面板２１の端縁が折り曲げられて折返部２５、２６が形成されその先の先端部との間に隙間を設けることで、屈曲部による寸法バラツキにおいて、底面板２１の先端部が先当たりをすることは無くなる。
【００２７】
そして、図２に示すように前板１３に形成する第一の折返部２８は、開口部１１の周縁が折曲部２７から前板１３の内面に一部隙間を設けるように内側（加熱庫１０の内部側）に折れ曲げられた折返部２８が壁面板２３に形成された第二の折返部２５と第三の折返部２６の間に勘合されてカシメ接合される。
【００２８】
このとき、電波透過性の皿板２４に必要な位置関係を出すために、底面板２１の平面上に位置決め冶具を用い加工寸法を適切に管理することにより、寸法Ｌを精度よく形成することができる。これにより、底面板２１の平面上にセラミックなど電波透過性の皿板２４を配設しても前板１３からはみ出すことはない。
【００２９】
内箱１００を形成する底面板１５においては、上述の後退寸法Ｌを皿板２４の板厚とほぼ等しくすることにより、皿板２４は底面板１５の全面を覆い、かつ開口部１１の周縁になる折曲部２７と皿板２４を同一高さ（同一面）とすることができる。これによって、加熱庫内１０から出し入れする器物や被加熱物は折曲部２７に邪魔されることなく、また底面板１５が皿板２４により覆われているので、底面板１５は美観に配慮することなく安価な材料で構成することができる。
【００３０】
また、図３に示されるように前板１３に形成する第一の折返部２８は、開口部１１の周縁が折曲部２７から前板１３の内面に密着するように内側（加熱庫１０の内部側）に折れ曲げられた第四の折返部２８ａと、この第四の折返部２８ａから逆方向に折り返されて端部に続く第五の折曲部２８ｂとで構成することも可能である。そしてこの第五の折返部２８ｂのみが壁面板２３に形成された第二の折返部２５と第三の折返部２６の間に勘合されてカシメ接合される。このように第四の折返部２８ａを前板１３の内面に密着させることによって開口部１１の周縁の強度を確保するとともに、第四の折返部２８ａ部分の加工寸法を適切に管理することにより、開口部１１からの後退寸法Ｌを精度よく形成することができる。
【００３１】
さらに図４に示されるように、前板１３に形成する第四の折返部２８ａと第五の折曲部２８ｂとの境界線部分には、開口部１１の周縁（折曲部２７）と平行に所定の間隔で複数のスリット孔またはスリット溝２９を形成するとよい。これら複数のスリット孔またはスリット溝２９は、第四の折返部２８ａと第五の折曲部２８ｂの前段階で形成することにより、第五の折曲部２８ｂの成型加工の寸法精度を高めることができ、カシメ接合の加工を容易にする。特に大型の加熱調理器において内箱１００の強度を上げるために、前板１３に肉厚の大きい板材を使用する場合に有効である。
【００３２】
次にこの加熱調理器用の内箱の組み立て方法を説明する。図５はこの実施例に述べた加熱調理器用の内箱１００の分解斜視図を示す。この例では、壁面板２３は、天壁面１７と左右壁面２１を構成する略コの字状の上壁面板３０と、底壁面１５をなす下壁面板３１で構成され、これらに開口部１１を有する前板１３と裏板１９とを組み合わせて内箱１００が形成されている。これらの構成部材はプレス加工によって形成され、上壁面板３０と下壁面板３１の手前側端辺部にはそれぞれ第二の折返部２５と第三の折返部２６が形成されている。また前板１３には、上述のように第一の折返部２８が形成されている。まず、第一の折返部２８が第二の折返部２５と第三の折返部２６に勘合するように、上壁面板３０を前板５１に組み合わせ、次に下壁面板３１を同様にして前板１３に組み合わせる。その後上壁面板３０と下壁面板３１をスポット溶接その他の手段で接合し、続いてこれら上壁面板３０と下壁面板３１をプレスにより前板１３にカシメ接合する。最後に上壁面板３０と下壁面板３１の後側端辺部に裏板５３を溶接等によって接合して内箱１００が完成される。図３及び図４の形状を採用する場合においても、上記と同様の手順で組み立てが行われる。なお、上述の第一の折返部２８は前板１３の開口部１１の全周縁に形成する必要はなく、いずれか１辺以上の縁に形成してもよい。この場合、その辺に対応する上壁面板３０または下壁面板３１の端辺部にのみ第二の折返部２５と第三の折返部２６を形成し、その他の端辺部は他の一般的な接合手段で組み立てる。
【００３３】
このような内箱１００の組み立て方法によれば、前板１３の開口部１１の寸法に制約されない大きな庫内容積の内箱を、その構成部材毎の必要な部分に加工の容易なカシメ接合を採用して構成することができるので、設計の自由度が増すと共に、大型の設備を導入することなく組み立てが可能になる。
【００３４】
以上のように、本発明の内箱１００においては、壁面板２３の端辺部に形成された第二の折返部２５は、前板１３に形成された第一の折返部２８の長さよりも短くなっているので、加熱庫１０の内壁面はこの寸法Ｌに相当する長さ後退した構造となる。したがって、加熱庫１０内から高周波エネルギーの漏洩を防止するために、前板１３と扉とが接触する開口部１１周囲の面には一定の大きさの面積を確保する結果、開口部１１を広げられない場合でも、余裕のある大きさの庫内容積を確保することができる。
【００３５】
また上記実施例において、この後退寸法Ｌを皿板２４の板厚とほぼ等しくすることにより、皿板２４は底面板１５の全面を覆い、かつ開口部１１の周縁になる折曲部２７と皿板２４を同一高さ（同一面）とすることができる。この結果、加熱庫１０の底面を平坦に構成して庫内からの器物や被加熱物の出し入れを支障なく行わせ、また皿板２４が底面板１５を覆うことによって製品の美観を損なうことなく、安価な材料で底面板１５を構成することができる。
【００３６】
さらに図３に示す構造では、前板１３に形成する第一の折返部２８が折曲部２７から前板１３の内面に密着するように内側（加熱庫１０の内部側）に折れ曲げられて第四の折返部２８ａを形成し、この第四の折返部２８ａから逆方向に折り返されて第五の折曲部２８ｂが形成される。そしてこの第五の折返部２８ｂのみが壁面板２３に形成された第二の折返部２５と第三の折返部２６の間に勘合されてカシメ接合された構造である。この構造によって、加熱庫１０の開口部１１から内壁面への後退寸法Ｌを精度よく形成することができる。
【００３７】
また図４に示す構造では、第四の折返部２８ａと第五の折曲部２８ｂとの境界線部分に複数のスリット孔またはスリット溝２９を形成することにより、第五の折曲部２８ｂの成型加工精度を高めることができる。また、肉厚の大きい板材で前板１３を形成する場合でも、カシメ接合の加工を容易にすることができる。
【００３８】
そして上述の内箱１００の組み立て方法によれば、その構成部材の必要な部分に加工の容易なカシメ接合を採用した自由度の高い設計で構成することができるので、大型の設備を導入することなく低コストでの組み立てが実現できる。
【００３９】
【発明の効果】
以上の説明のように本発明の加熱調理器用の内箱は、開口部を有する前板と、裏板と、前記開口部の周縁に接合される壁面板とを有して加熱庫を形成するもので、前記前板には開口部周縁の少なくとも一部が内側に折れ曲げられた第一の折返部が形成され、前記開口部周縁に接合される前記壁面板の端部における前記第一の折返部に対応する部分には前記第一の折返部よりも短寸法で略直角に折れ曲げられた第二の折返部と、前記第二の折返部の先端側において更に逆方向に折り曲げられた第三の折返部が形成され、前記第二の折返部と前記第三の折返部の間に前記第一の折返部が勘合してカシメ接合されて、前記壁面板の少なくとも一面が前記開口部の周縁よりも所定の寸法だけ後退して内壁面をなす構造としたもので、大きい内容積の加熱庫を加熱調理器の外形を変えることなく加工の容易なカシメ接合で組み立てることが可能になる。また、加熱庫底部の皿板を内箱の底面板全体を覆うように直接載置できる構造であるため、美観を損なうことなく安価な材料の底面板を使用してコストの低減を図ることができる。さらに本発明の加熱調理器用の内箱の組み立て方法によれば、構成部材の必要な部分に加工の容易なカシメ接合を採用した自由度の高い設計を実現するので、大型の設備を導入することなく低コストでの組み立てが可能になる。
【図面の簡単な説明】
【図１】（ａ）本発明の実施の形態に係わる加熱調理器用の内箱の構造を示す一部破断斜視図、（ｂ）内箱の破断部分の拡大斜視図、及び（ｃ）内箱の破線Ａ−Ａ’部分の拡大断面図
【図２】同加熱調理器用の内箱のカシメ接合による組み立て方法を示す断面図
【図３】同加熱調理器用の内箱のカシメ接合による別な組み立て方法を示す断面図
【図４】同加熱調理器用の内箱のカシメ接合による別な組み立て方法を示す斜視図
【図５】同加熱調理器用の内箱の組み立て構成を示す分解斜視図
【図６】従来の加熱調理器の一例を示す外観斜視図
【図７】従来の加熱調理器用の内箱の構造を示す分解斜視図
【図８】（ａ）従来の加熱調理器用の内箱の構造を示す一部破断斜視図、（ｂ）内箱の破断部分の拡大斜視図、及び（ｃ）内箱の破線Ａ−Ａ’部分の拡大断面図
【符号の説明】
１０  加熱庫
１１  開口部
１３  前板
１５  底壁面（底面板）
１７  天壁面
１９  裏板
２１  左右側壁面
２３  壁面板
２４  皿板
２５  第二の折返部
２６  第三の折返部
２７  折曲部
２８  第一の折返部
２８ａ  第四の折返部
２８ｂ  第五の折返部
２９  スリット孔（スリット溝）
３０  上壁面板
３１  下壁面板
１００  内箱
【図１】
2005037013.tif 000003
【図２】
2005037013.tif 000004
【図３】
2005037013.tif 000005
【図４】
2005037013.tif 000006
【図５】
2005037013.tif 000007
【図６】
2005037013.tif 000008
【図７】
2005037013.tif 000009
【図８】
2005037013.tif 000010